(57)【特許請求の範囲】
【請求項１】
車両のウインドにウォッシャ液を供給する、ウォッシャノズルであって、
ノズル本体と、該ノズル本体に対して相対動可能な調整部材とをそなえ、
該ノズル本体と該調整部材との間に噴射口が形成され、該噴射口の形状が該調整部材の相対動に応じて変化することを特徴とする、ウォッシャノズル。
【請求項２】
該調整部材の軸回りに雄ネジが形成され、該雄ネジは該ノズル本体の内部に形成された雌ネジに螺合しており、該調整部材の該ノズル本体に対する回転量及び回転方向に応じて該調整部材を該ノズル本体に対して軸方向に相対動可能に構成されるとともに、
該ノズル本体の内部にピンが設けられ、該調整部材には係止溝が軸方向に複数形成され、該ピンが何れかの該係止溝に係合することにより、該調整部材の該ノズル本体に対する位置決めが行なわれることを特徴とする、請求項１記載のウォッシャノズル。
【請求項３】
該調整部材と該ノズル本体との間に該調整部材を軸方向に付勢するバネがそなえられるともに、
該調整部材に爪が設けられ、該ノズル本体の内部にはストッパが軸方向に複数形成され、該爪が何れかの該ストッパに係合することにより、該調整部材の該ノズル本体に対する位置決めが行なわれることを特徴とする、請求項１記載のウォッシャノズル。
【請求項４】
該調整部材の先端につまみが形成され、該つまみを持って該調整部材を軸方向に押し引き操作可能に構成されていることを特徴とする、請求項３記載のウォッシャノズル。
【請求項５】
該ノズル本体が筒状部と該筒状部の内部に固定された調整弁とからなり、該調整部材は該調整弁を囲むようにリング状に形成されるとともに該筒状部との間に形成されたネジによって該筒状部に螺合しており、該調整弁と該調整部材との間に該調整部材の該筒状部に対する回転量及び回転方向に応じて形状が変化する噴射口が形成されていることを特徴とする、請求項１記載のウォッシャノズル。
【請求項６】
該ノズル本体に非円形の噴射口が形成されるとともに、該調整部材は非円形に形成されて該噴射口を塞ぐように配置され、該調整部材の回転角度に応じて該噴射口の開口状態が変化するように構成されていることを特徴とする、請求項１記載のウォッシャノズル。
【発明の詳細な説明】
【０００１】
【発明の属する技術分野】
本発明は、車両のフロントウインドやリヤウインドにウォッシャ液を供給する、ウォッシャノズルに関する。
【０００２】
【従来の技術】
従来のウォッシャノズルは、図９に示すように、ノズル本体１０１にノズル１０２を嵌め込んで構成されており、ウォッシャ液はノズル１０２を貫通して設けられた噴射口１０３より噴射されるようになっている。また、ノズル１０２の外周は球面状になっていて、ノズル１０２がノズル本体１０１に対して回動可能になっており、ノズル１０２を上下左右の適宜の方向に回動させることでウォッシャ液の噴射角度が変更されるようになっている。このような構成のものとしては、例えば、実公平５−２３２３７号公報に開示されている。
【０００３】
【発明が解決しようとする課題】
ところで、ウォッシャノズルから噴射されるウォッシャ液の噴射状態は、洗浄効果に大きく影響する。特に、最適な噴射状態は一定のものではなく、走行状態等により変化する。例えば、通常ワイパーの払拭性を考慮するとウォッシャ液が拡散してミスト状態となるような噴射状態とすることが望ましいが、高速走行時では風圧によりウォッシャ液が飛び散るため、むしろ真っ直ぐ直線状に噴射したほうがよい。また、自動車の走行状態のみならず、風や雨のような気象条件によっても最適な噴射状態は変化する。さらに、噴射状態の好みはドライバそれぞれによっても相違する。
【０００４】
したがって、ウォッシャ液の噴射状態は車両の走行特性（どのような道路を走行するか、どのような気候の地域を走行するか等）やドライバの好み等に応じて調整できることが望ましい。
しかしながら、従来のウォッシャノズルでは、ウォッシャ液の噴射角度は調整できるものの、噴射口１０３の形状は固定であり、したがって、ウォッシャ液の噴射状態を任意の噴射状態に調整することはできなかった。
【０００５】
なお、実開平４−２０８６２号公報には、空気流によって発生する空気力によって噴射ノズルの噴射状態を変更する技術が開示されているが、この技術では、噴射状態は車速によって変化するようにはなっているが、車両の走行特性やドライバの好みに応じて予め任意の噴射状態が得られるように調整しうるものではない。
【０００６】
本発明は、上述の課題に鑑み創案されたもので、ウォッシャ液の噴射状態を予め任意の状態に調整できるようにした、ウォッシャノズルを提供することを目的とする。
【０００７】
【課題を解決するための手段】
このため、本発明の車両のウインドにウォッシャ液を供給する、ウォッシャノズルでは、ノズル本体と調整部材との間に形成された噴射口の形状を、調整部材をノズル本体に対して相対動させることで変化させる。
これにより、ウォッシャノズルからのウォッシャ液の噴射状態が予め任意の状態に調整される。
好ましくは、調整部材の軸回りに雄ネジを形成し、雄ネジをノズル本体の内部に形成されたネジに螺合させ、調整部材のノズル本体に対する回転量及び回転方向に応じて調整部材をノズル本体に対して軸方向に相対動可能に構成するとともに、ノズル本体の内部にピンを設け、調整部材には係止溝を軸方向に複数形成し、ピンが何れかの係止溝に係合することにより、調整部材の該ノズル本体に対する位置決めが行なわれるようにする。
或いは、調整部材とノズル本体との間に調整部材を軸方向に付勢するバネをそなえるともに、調整部材に爪を設け、ノズル本体の内部にはストッパを軸方向に複数形成し、爪が何れかのストッパに係合することにより、調整部材のノズル本体に対する位置決めが行なわれるようにする。この場合、より好ましくは調整部材の先端につまみを形成し、つまみを持って調整部材を軸方向に押し引き操作可能に構成する。
或いは、ノズル本体を筒状部と筒状部の内部に固定された調整弁とから構成し、調整部材は調整弁を囲むようにリング状に形成するとともに筒状部との間に形成されたネジによって筒状部に螺合させ、調整弁と調整部材との間に調整部材の筒状部に対する回転量及び回転方向に応じて形状が変化する噴射口を形成する。
或いは、ノズル本体に非円形の噴射口を形成するとともに、調整部材は非円形に形成して噴射口を塞ぐように配置し、調整部材の回転角度に応じて噴射口の開口状態が変化するように構成する。
【０００８】
【発明の実施の形態】
以下、図面により、本発明の実施の形態について説明すると、図１〜図３は本発明の第１実施形態としてのウォッシャノズルについて示すものである。
図１に示すように、本ウォッシャノズルは、ノズル本体２とノズル本体２の頭部２Ａにそなえられた調整部材１とから構成されており、ノズル本体２の固定用ボス２Ｂを図示しない車体パネルの嵌合穴に嵌着され取り付けられる。ノズル本体２から突出した接続管部２Ｄの爪部２Ｃにはホース１２が接続しており、このホース１２の他端は図示しないウォッシャポンプに接続している。接続管部２Ｄの内部には頭部２Ａまでウォッシャ液流路１０が穿設されており、ウォッシャポンプから供給されるウォッシャ液をノズル本体２の頭部２Ａまで導くようになっている。
【０００９】
ノズル本体２の頭部２Ａには、前述のように調整部材１がそなえられているが、ここで、図２（ａ），（ｂ），図３を用いて調整部材１がそなえられる頭部２Ａの構成について詳述する。
図２（ａ），（ｂ）に示すように、ノズル本体２の頭部２Ａにはウォッシャ液流路１０の一部である頭部流路３が穿設されている。頭部流路３は、先端から奥まるにつれ次第に縮径する開口部３Ａを有しており、頭部流路３の周壁には２つの雌ねじ部４ａ，４ｂが形成されている。また、雌ねじ部４ａ，４ｂの間にはピン６がそなえられている。
【００１０】
なお、雌ねじ部４ａ，４ｂには、図３に示すように、適宜の大きさの液孔１１が形成されている。ホース１２からウォッシャ液流路１０を通り頭部流路３まで供給されたウォッシャ液は、この液孔１１を通って噴射口９まで到達し、外部へ噴射されるようになっている。
一方、調整部材１は、先端から次第に縮径する頭部１Ａと一定の軸径を有する軸部１Ｂとからなり、軸部１Ｂの周囲には雄ねじ５が形成されている。また、軸部１Ｂの前後方向の異なる位置には複数の（ここでは２つ）の係止溝７ａ，７ｂが設けられている。
【００１１】
そして、調整部材１の軸部１Ｂを頭部流路３へ挿入し、雄ねじ５を雌ねじ４ａ，４ｂに螺合させることにより、調整部材１が頭部２Ａ内に保持されるようになっている。このとき、調整部材１を回転させて頭部流路３の内方へ進入させていくと、まず、ピン６は係止溝７ｂに係合し、さらに挿入していくともう一つの係止溝７ａに係合する。
【００１２】
このように、係止溝７ａ，又は７ｂにピン６が係合すると、調整部材１にある程度大きな回転トルクを加えないと調整部材１を回転させてノズル本体２に対する相対移動を行なえないので、調整部材１のノズル本体２に対する位置決めが容易に行なえるようになっているのである。
なお、調整部材１のノズル本体２に対する前後方向の相対移動は、調整部材１の頭部１Ａに設けられた−形又は＋形の調整孔８に−形又は＋形のドライバを差し込み、調整部材１を左右に回転させることにより行なうようになっている。
【００１３】
ところで、調整部材１を頭部流路３に挿入すると、調整部材１の頭部１Ａと頭部流路３の開口部３Ａとの間には隙間９が形成される。この隙間９が、頭部流路３へ供給されたウォッシャ液を外部に噴射するための噴射口となる（以下、噴射口９とする）。
調整部材１がノズル本体２に対して相対移動すると、それに応じて、噴射口９の幅ｄも変化する。例えば、調整部材１の係止溝７ａがピン６に係合しているとき（図２（ａ）に示す状態）には噴射口９は幅ｄ１  となり、調整部材１を頭部流路３から引き出すにつれ噴射口９の幅ｄは拡大し、係止溝７ｂがピン６に係合したとき（図２（ｂ）に示す状態）には噴射口９は幅ｄ２  （ｄ２  ＞ｄ１  ）となる。
【００１４】
本発明の第１実施形態としてのウォッシャノズルは、上述のように構成されているので、ウォッシャ液の噴射状態の変更は次のようにして行なう。
まず、調整部材１の頭部１Ａに設けられた調整孔８にドライバを差し込み、調整部材１を左右に回転させる。調整部材１は、回転方向及び回転数に応じてノズル本体２に対して相対移動する。これにより、ピン６を係止溝７ａに係止した状態から係止溝７ｂに係止する状態に、又は、係止溝７ｂに係止した状態から係止溝７ａに係止する状態に切り替えることができる。
【００１５】
そして、図２（ａ）に示すように、係止溝７ａにピン６が係合した状態、即ち、調整部材１がノズル本体２の奥まで引っ込んだ状態のときには、噴射口９の幅ｄは狭い幅ｄ１  となる。この状態でウォッシャ液を噴射すると、噴射口９においてウォッシャ液に高い水圧が作用し、また、噴射方向も調整部材１の頭部１Ａと開口部３Ａとで規制されるため、ウォッシャ液は霧状に拡散して噴射される。
【００１６】
調整部材１を回転させノズル本体２から引き出していくと、その移動量に応じて噴射口９の幅ｄも広くなっていく。それにともない、噴射口９においてウォッシャ液に作用する水圧も徐々に低下し、ウォッシャ液の噴射状態は霧状に拡散した状態から直線状へと近づいていく。
そして、図２（ｂ）に示すように、係止溝７ｂにピン６が係合した状態、即ち、調整部材１が最もノズル本体２から飛び出た状態のとき、噴射口９の幅ｄは最も広い幅ｄ２  となる。この状態では、噴射口９においてウォッシャ液に作用する水圧は低く、また、噴射方向に対する規制も緩くなるため、ウォッシャ液は略直線状に近くより集合した状態で噴射される。
【００１７】
このように、本ウォッシャノズルによれば、調整部材１のノズル本体２に対する相対位置を変更するだけで、ウォッシャ液の噴射状態を霧状に拡散した状態と集合した状態とで切り替えることができる。
これにより、整備者やドライバは、気象条件や運転条件、さらに自分の好みに応じて、ウォッシャ液の噴射状態を調整することができるという利点がある。
【００１８】
また、本実施形態のように、ピンを係止溝７ａ，７ｂに係合させることで、調整部材１のノズル本体２に対する相対位置を設定するように構成すると、誰にでも容易に幅ｄを所定の大きさに調整でき、ウォッシャ液の噴射状態の調整を容易に行なえる利点がある。
本実施形態では、係止溝を２つだけ設けているが、さらに多数の係止溝を設けて、幅ｄをより多段階に調整できるようにして、ウォッシャ液の噴射状態をより細かく調整できるようにしてもよい。
【００１９】
さらに、例えば、第１実施形態における係止溝７ａ，７ｂをストッパとして機能させ、係止溝７ｂにピン６が係合すると、それ以上は調整部材１を引き出すことができず、また、係止溝７ａにピン６が係合すると、それ以上奥には調整部材１が進入できないようにして、調整部材１は、これらの係止溝７ａ，７ｂ間においてノズル本体２に対する相対移動を自由に行なえるようにしてもよい。
【００２０】
このようにすれば、調整部材１のノズル本体２に対する相対位置は、調整部材１の回転方向及び回転数により調整できるため、噴射口９の幅ｄを任意の大きさに自由に調整することができ、調整部材１のノズル本体２に対する相対位置の変更により、ウォッシャ液の噴射状態を霧状に拡散した状態から略直線状に集合した状態まで無段階に変更することができる。
【００２１】
また、本実施形態では、調整部材１の頭部１Ａの外周形状は円形となっているが、歯車状に形成してもよい。これにより、幅ｄが狭い場合はウォッシャ液は歯車の谷間から噴射されることになるため、ウォッシャ液の噴射状態をシャワー状にすることができる。また、頭部１Ａの形状は円形のままで、ノズル本体２の開口部３Ａの形状を傘歯車状に形成してもよく、同様にウォッシャ液の噴射状態をシャワー状にすることができる。
【００２２】
さらに、本実施形態では、調整部材１の回転は手動により行なうようになっているが、モータにより調整部材１を回転させてノズル本体２との相対位置を調整するようにしてもよい。この場合、ドライバは車室内から調整部材１を回転操作を行なうことができるので、走行中や雨天時等、車外に出ることができない時でもウォッシャ液の噴射状態を調整することができるという利点がある。
【００２３】
また、本実施形態では、噴射状態の調整のみを記載したが、調整部材１を図２（ａ）よりもさらに頭部流路３の内方へ進入させて、頭部１Ａと開口部３Ａとを当接させることで噴射口９を閉じるようにすることも可能となる。これにより、ワックス掛け等によって噴射口９に目詰まりが生じるのを防止することができる。
【００２４】
次に、本発明の第２実施形態について説明する。
図４（ａ），（ｂ）に示すように、本実施形態のウォッシャノズルは、調整部材２１とノズル本体２２とから構成されている。ノズル本体２２は、第１実施形態と同様に頭部，固定部，接続部，爪部とからなり、爪部の先端から頭部に至るようにウォッシャ液の流路が形成されている（図１参照）が、ここでは頭部２２Ａのみを示す。
【００２５】
ノズル本体２２の頭部２２Ａには、頭部流路２３が穿設されている。頭部流路２３は、その開口部２３Ａから奥側まで一定の径を有しており、頭部流路２３の周壁には、ストッパ２４ａ，２４ｂが周方向（軸心方向）に突設されている。これらのストッパ２４ａ，２４ｂは、図５（ａ），（ｂ）に示すように、その一部にウォッシャ液の液孔２８ａ，２８ｂが形成されている。ここでは両ストッパ２４ａ，２４ｂとも１８０度反対方向の２箇所に液孔２８ａ，２８ｂが形成されている。また、頭部流路２３の奥部２３Ｂにはバネ２６が圧縮状態でそなえられている。さらに、ストッパ２４ａに形成された一方の液孔２８ａには、調整部材２１のノズル本体２２からの抜けを防止する抜け止めピン２７が装着されている。
【００２６】
一方、調整部材２１は、次第に縮径する円錐形状の頭部２１Ａと一定の軸径の軸部２１Ｂとから構成されており、先端部２１Ａの径は、頭部流路２３の開口部２３Ａの径よりもやや大きくなっている。また、調整部材２１の側面には、１８０度反対方向の２箇所に爪部２５がそなえられている。この爪部２５の幅はストッパ２４ｂに形成された液孔２８ｂの幅よりも狭く形成されている。
【００２７】
調整部材２１の後端部２１Ｂにはバネ２６の一端が固定されており、このバネ２６によって調整部材２１は頭部流路２３の開口方向に常に付勢されている。そして、開口方向に付勢された調整部材２１は、その爪部２５をストッパ２４ａ，２４ｂの何れかに係止させてノズル本体２２に固定される。つまり、調整部材２１とノズル本体２２との相対位置は、爪部２５をストッパ２４ａに係止させた状態と、ストッパ２４ｂに係止させた状態との２段階に調整されるようになっているのである。
【００２８】
調整部材２１のノズル本体２２に対する前後方向の相対移動は、調整部材２１の先端部２１Ａに設けられたつまみ３０を持って押したり回したりすることにより行なうようになっている。例えば、爪部２５がストッパ２４ｂに係止した状態から、ストッパ２４ａに係止した状態まで調整部材２１をノズル本体２２から引き出す場合、つまみ３０を持って調整部材２１を適宜回転させて爪部２５をストッパ２４ｂの液孔２８ｂに一致させる。液孔２８ｂは爪部２５よりも広く形成されているので、爪部２５とストッパ２４ｂとの係止が解除され、調整部材２１はバネ２６に付勢されて爪部２５がストッパ２４ａに係止する位置まで移動するのである。
【００２９】
調整部材２１と頭部流路２３の開口部２３Ａとの間には隙間２９が形成されるが、この隙間２９が、ウォッシャ液を外部に噴射するための噴射口となる（以下、噴射口２９とする）。
調整部材２１がノズル本体２２に対して相対移動すると、それに応じて、噴射口２９の幅ｄも変化する。つまり、調整部材２１の爪部２５がストッパ２４ｂに係止しているとき（図４（ａ）に示す状態）には噴射口９は幅ｄ３  となり、爪部２５がストッパ２４ａに係止しているとき（図４（ｂ）に示す状態）には噴射口９は幅ｄ４  （ｄ４  ＞ｄ３  ）となるのである。
【００３０】
本発明の第２実施形態としてのウォッシャノズルは、上述のように構成されているので、ウォッシャ液の噴射状態の変更は次のようにして行なう。
まず、図４（ａ）に示すように、ストッパ２４ｂに爪部２５が係止した状態、即ち、調整部材２１が引っ込んだ状態のとき、噴射口２９の幅ｄは最も狭い幅ｄ３  となる。この状態でウォッシャ液を噴射すると、噴射口２９においてウォッシャ液に高い水圧が作用し、また、噴射方向も調整部材２１の頭部２１Ａと開口部２３Ａとの間で規制されるため、ウォッシャ液は霧状に拡散して噴射される。
【００３１】
次に、つまみ３０を持って調整部材２１を適宜回転させ、爪部２５のストッパ２４ｂへの係止を解除する。ストッパ２４ｂへの係止を解除された調整部材２１は、バネ２６に付勢されて、図４（ｂ）に示すように、爪部２５がストッパ２４ａに係止する位置、即ち、調整部材２１が最もノズル本体２２から飛び出た状態まで移動する。このとき、噴射口２９の幅ｄは最も広い幅ｄ４  となる。この状態では、噴射口２９においてウォッシャ液に作用する水圧は低く、また、噴射方向に対する規制も緩くなるため、ウォッシャ液は略直線状に噴射される。
【００３２】
このように、本ウォッシャノズルによれば、第１実施形態と同様に、調整部材２１のノズル本体２２に対する相対位置を変更するだけでウォッシャ液の噴射状態を霧状に拡散した状態から略直線状まで変更することができる。
そして、調整部材２１のノズル本体２２に対する相対位置は、つまみ３０を押し回して爪部２５をストッパ２４ｂへ係止させたり、係止を解除するだけで変更できるため、特別な工具を必要とせず容易にウォッシャ液の噴射状態を変更できるという利点がある。
【００３３】
また、本実施形態では、ストッパ２４ａ，２４ｂの２つのストッパをそなえたウォッシャノズルについて説明したが、さらに複数のストッパをそなえてもよく、その場合、より細かくウォッシャ液の噴射状態を調整することができるという利点がある。
なお、本実施形態では、頭部流路２３の奥部２３Ｂと調整部材２１との間に圧縮状態のバネ２６を配設したが、頭部流路２３の開口部２３Ａに調整部材２１の先端部２１Ａが当接するようにバネを配設することも可能である。この場合には、ウオッシャ液の水圧により噴射口が開口し、爪部２５がストッパ２４ｂと対向する位置にある時には霧状の拡散噴射状態、爪部２５がストッパ２４ａと対向する位置にある時には略直線状の集合噴射状態となる。これにより、噴射口は常時閉じられているため埃等による噴射口の目詰まりを防止することができる。
【００３４】
以上、本発明のウォッシャノズルの実施形態について説明してきたが、本発明のウォッシャノズルは上述の実施形態に限定されるものではない。つまり、図６（ａ），（ｂ）に示すように、調整部材３１とノズル本体３２との隙間（噴射口）３９の形状が、調整部材３１とノズル本体３２との相対位置に応じて変化するものであればよい。噴射口３９の形状が変化することによりウォッシャ液の噴射状態を変更することができるからである。
【００３５】
また、図７（ａ），（ｂ）に示すように、ノズル本体４２に調整弁４２ａをそなえ、頭部流路４３の先端部にあたる筒状部４２ｂの内側に、調整弁４２ａを囲むように調整部材４１を配設し、この調整部材４１を調整弁４２ａに対して相対移動させることにより、隙間（噴射口）４９の形状を変更するようにしてもよい。なお、調整部材４１の移動は、調整部材４１にそなえられた雄ねじ４５を筒状部４２ｂにそなえた雌ねじ４４に螺合させ、調整部材４１を適宜回転させることにより行なう。
【００３６】
このような構成により、ウォッシャ液の噴射状態に影響を与えること無く調整部材４１を大きくすることができるので、調整部材４１を操作する作業性が向上する利点がある。
さらに、調整部材がノズル本体に対して前後軸方向に移動するのではなく、図８（ａ），（ｂ）に示すように、調整部材５１がその軸５１ａ周りに回転することにより、ノズル本体５２との間の隙間（噴射口）５９の形状が変化するような構成にしてもよい。
【００３７】
このように構成により、調整部材５１の頭部を９０度回転させるだけで、容易にウォッシャ液の噴射状態を変更することができるという利点がある。
【００３８】
【発明の効果】
以上詳述したように、本発明のウォッシャノズルによれば、調整部材のノズル本体に対する相対位置を変更するだけで噴射口の形状を変更することができ、ウォッシャ液の噴射状態を霧状に拡散した状態から略直線状まで変更することができる。これにより、気象条件や運転条件、さらにドライバの好みに応じて、ウォッシャ液の噴射状態を調整することができるという利点がある。
【図面の簡単な説明】
【図１】本発明の第１実施形態としてのウォッシャノズルの構成を示す模式的外観図である。
【図２】本発明の第１実施形態としてのウォッシャノズルの構成を示すノズル本体頭部の断面図であり、（ａ）はウォッシャ液の噴射状態を霧状に調整する場合を示す図、（ｂ）はウォッシャ液の噴射状態を直線状に調整する場合を示す図である。
【図３】本発明の第１実施形態としてのウォッシャノズルの構成を示す図２のＡ−Ａ方向矢視断面図である。
【図４】本発明の第２実施形態としてのウォッシャノズルの構成を示すノズル本体頭部の断面図であり、（ａ）はウォッシャ液の噴射状態を霧状に調整する場合を示す図、（ｂ）はウォッシャ液の噴射状態を直線状に調整する場合を示す図である。
【図５】本発明の第２実施形態としてのウォッシャノズルの構成を示す断面図であり、（ａ）は図４のＢ−Ｂ方向矢視断面図、（ｂ）は図４のＣ−Ｃ方向矢視断面図である。
【図６】本発明のウォッシャノズルの基本概念を説明するための模式図であり、（ａ）はウォッシャ液の噴射状態を霧状に調整する場合を示す図、（ｂ）はウォッシャ液の噴射状態を直線状に調整する場合を示す図である。
【図７】本発明のウォッシャノズルの他の構成例を示す模式的断面図であり、（ａ）はウォッシャ液の噴射状態を直線状に調整する場合を示す図、（ｂ）はウォッシャ液の噴射状態を霧状に調整する場合を示す図である。
【図８】本発明のウォッシャノズルの他の構成例を示す模式的正面図であり、（ａ）はウォッシャ液の噴射状態を霧状に調整する場合を示す図、（ｂ）はウォッシャ液の噴射状態を直線状に調整する場合を示す図である。
【図９】従来のウォッシャノズルの構成を示す模式図である。
【符号の説明】
１  調整部材
２  ノズル本体
２Ａ  頭部
３  頭部流路
３Ａ  開口部
４ａ，４ｂ  雌ねじ部
５  雄ねじ
６  ピン
７ａ，７ｂ  係止溝
８  調整孔
９  噴射口
【図１】
0003584729.tif 000002
【図２】
0003584729.tif 000003
【図３】
0003584729.tif 000004
【図４】
0003584729.tif 000005
【図５】
0003584729.tif 000006
【図６】
0003584729.tif 000007
【図７】
0003584729.tif 000008
【図８】
0003584729.tif 000009
【図９】
0003584729.tif 000010